(57)【要約】【課題】紫外線波長の励起スペクトルを有する蓄光表面（蓄光性蛍光体に同じ。）を備えた蓄光ボール、蓄光衣服その他の蓄光物品を被照射体として、その蓄光表面に励起スペクトルに応じた紫外光を照射することにより光エネルギを供給可能とする。【解決手段】蓄光性蛍光体励起用光源装置Ｙが、開扉可能に室構成されたケーシング１と、ケーシング１の内壁面にライニングした反射体２と、室空間に向けて出射又は照射するように発光前面を配向形成した発光手段３と、室空間に蓄光ボール51（被照射体５）を中空保持するための透明素材からなる架台42（支持手段４）を具備する。ここで、発光手段３は、紫外発光ダイオードを面状に群形成した発光体アレイからなる面光源又は紫外線ランプ34からなるランプ光源である。そして、蓄光ボール51の外周から紫外光を照射し蓄光性蛍光体511（蓄光表面）を励起する。【選択図】      図２
0003124026.tif 000002
【実用新案登録請求の範囲】
【請求項１】
蓄光性蛍光体に光エネルギを供給するための人工光源装置において、
少なくとも表面領域の一部に紫外線波長の励起スペクトルを有する蓄光表面（蓄光性蛍光体に同じ。）を備えた蓄光ボール、蓄光衣服その他の蓄光物品を被照射体としてケーシング内に収容し、その蓄光表面に紫外光を照射するようにした蓄光性蛍光体励起用光源装置であって、
開閉可能に室構成されたケーシングと、
前記ケーシングの内壁面にライニングした反射体と、
室空間に向けて出射又は照射するように発光前面を配向形成した発光手段と、
室空間に被照射体を中空保持するための透明素材からなる支持手段を具備するとともに、前記発光手段は、紫外発光ダイオードを面状に群形成した発光体アレイからなる面光源又は紫外光を照射するランプ光源であり、かつ、該紫外光の波長が、蓄光性蛍光体の励起スペクトルに対応する３００〜４５０ｎｍであることを特徴とする蓄光性蛍光体励起用光源装置。
【請求項２】
被照射体となる蓄光物品が蓄光ボールであり、
ケーシングが開閉可能なカプセル容器であり、
支持手段が一又は複数の蓄光ボールを載置可能な架台、ネット又はリブである
請求項１記載の蓄光性蛍光体励起用光源装置。
【請求項３】
被照射体となる蓄光物品が蓄光衣服であり、
ケーシングが開閉可能なボックス容器であり、
支持手段が一又は複数の蓄光衣服を懸架可能なハンガ又はフックである
請求項１記載の蓄光性蛍光体励起用光源装置。
【考案の詳細な説明】
【技術分野】
【０００１】
本考案は、蓄光性蛍光体に光エネルギを供給するための人工光源装置に係り、詳しくは、少なくとも表面領域の一部に紫外線波長の励起スペクトルを有する蓄光表面（蓄光性蛍光体に同じ。）を備えた蓄光ボール、蓄光衣服その他の蓄光物品を被照射体として、その蓄光表面に励起スペクトルに応じた紫外光を照射するようにした蓄光性蛍光体励起用光源装置に関する。なお、蓄光性蛍光体と長残光性蛍光体又は燐光体は同義である。
【背景技術】
【０００２】
従来より、アルカリ土類金属 [Ｍ(II)] のアルミン酸塩 [Ｍ(II)Ｏ・Ａｌ2 Ｏ3]を母結晶とし、希土類金属を賦活剤とした蓄光性蛍光体材料が知られている（例えば、特許文献１及び２を参照）。
【特許文献１】特許第２５４３８２５号公報
【特許文献２】特開平７−１１２５０号公報
【０００３】
また、この種の蓄光性蛍光体材料を用いて、サッカーボールの表面に蓄光層を積層形成した蓄光ボールが提案されている（例えば、特許文献３を参照）。
【特許文献３】特開平２００６−２５８９０号公報
【０００４】
ところで、蓄光性蛍光体（材料）は、所謂フォトルミネッセンス(Photoluminescence；ＰＬ) であり、励起スペクトルに応じた波長の光を照射する励起用光源が必要となる。もちろん、太陽光や照明装置その他の人工光源（好ましくは紫外光源）を用いればよいことである（例えば、紫外光源に関し特許文献４、５及び６を参照）。
【特許文献４】特開２００５−２７７２９９号公報
【特許文献５】特開２００２−２３２０１８号公報
【特許文献６】実用新案登録第３０９０３６４号公報
【０００５】
しかしながら、太陽光については利用時間に制約があり、人工光源についても、紫外線波長の励起スペクトルを有する蓄光性蛍光体を備えた蓄光ボール等の立体形状物品（蓄光物品に否時。）を被照射体として、その全表面に励起スペクトルに応じた紫外光を照射することにより蓄光性蛍光体に光エネルギを供給するようにしたものはみあたらない。（例えば、面光源に関し特許文献７及び８、並びにバックライトモジュールに関し特許文献９及び10をそれぞれ参照）。
【特許文献７】特開２００２−４９３２６号公報
【特許文献８】特開２００１−３１２９１９号公報
【特許文献９】特開２００６−１０８０７６号公報
【特許文献１０】特開２０００−２６７６０６号公報
【０００６】
こうしたなかで、表面に蓄光体を付着した浮き、釣針、ゴム管、釣糸、疑似餌等の釣り道具を収納し、蓄光体励起用のランプ光源（ブラックライトランプを含む）を備えた函体容器の提案があった（例えば、特許文献11、12及び13を参照）。
【特許文献１１】特開平９−１３２号公報
【特許文献１２】実用新案登録第３０５３９５７号公報
【特許文献１３】実用新案登録第３０１４３６４号公報
【０００７】
なるほど、これらの釣り道具は、所謂蓄光物品であり、これを被照射体としてランプ光源を備えたケーシング内に収容して光エネルギを供給する点では、本考案の目的効果と共通する点がある。ランプ光源としてブラックライトランプを用いるのであれば、紫外光を照射することになる。
【０００８】
しかしながら、蓄光表面の蓄光性蛍光体を特定可能な蓄光物品（前示の釣り道具を除く被照射体）の光源装置としてみるならば、本考案がケーシング内壁に紫外光源を構設し、かつ、蓄光表面との間隔距離を均等に保持し、蓄光性蛍光体の励起スペクトルに応じた紫外光を照射するようにしている点で、構成上の隔たりは大きく、その作用効果にも格段の違いがある。
【考案の開示】
【考案が解決しようとする課題】
【０００９】
解決しようとする課題は、室構成したケーシング内に紫外線波長の励起スペクトルを有する蓄光性蛍光体を表面付着した蓄光ボール、蓄光衣服その他の蓄光物品（前示の釣り道具を除く被照射体）を収容して、該室空間に中空保持し、その蓄光表面に励起スペクトルに応じた紫外光を照射することにより光エネルギを供給可能に装置構成する点にある。
【００１０】
具体的な技術解決課題は、被照射体（蓄光物品）の形状に応じたケーシングと、このケーシング内に紫外発光ダイオードを面状に群形成した発光体アレイからなる面光源又は紫外光を照射するランプ光源を発光手段を構設する点にある。
【００１１】
本考案は、このような事情に鑑みなされたものであって、上記課題を解消し、少なくとも表面領域の一部に紫外線波長の励起スペクトルを有する蓄光表面（蓄光性蛍光体に同じ。）を備えた蓄光物品を被照射体として、面光源又はランプ光源からなる発光手段を構設し、被照射体（の蓄光表面）に特定波長の紫外光を照射することにより、光エネルギを供給するようにした蓄光性蛍光体励起用光源装置を提供するものである。
【課題を解決するための手段】
【００１２】
課題を解決するために本考案は、蓄光性蛍光体に光エネルギを供給するための人工光源装置において、
少なくとも表面領域の一部に紫外線波長の励起スペクトルを有する蓄光表面（蓄光性蛍光体に同じ。）を備えた蓄光ボール、蓄光衣服その他の蓄光物品を被照射体としてケーシング内に収容し、その蓄光表面に紫外光を照射するようにした蓄光性蛍光体励起用光源装置であって、
開閉可能に室構成されたケーシングと、
前記ケーシングの内壁面にライニングした反射体と、
室空間に向けて出射又は照射するように発光前面を配向形成した発光手段と、
室空間に被照射体を中空保持するための透明素材からなる支持手段を具備するとともに、前記発光手段は、紫外発光ダイオードを面状に群形成した発光体アレイからなる面光源又は紫外線ランプからなるランプ光源であり、かつ、紫外光の波長が蓄光性蛍光体の励起スペクトルに対応する３００〜４５０ｎｍであることを特徴とする蓄光性蛍光体励起用光源
【考案の効果】
【００１３】
本考案によれば、被照射体（の蓄光性蛍光体）に対して励起スペクトルの波長に応じた光照射を可能とし、しかも蓄光表面に満遍なく光エネルギを供給できるので、その発光性能を時宜的かつ確実に発揮することを保障できる。
【００１４】
特に、蓄光ボールを夜間の練習やイベント（開会式等）で使用する際に、極めて短時間で使用可能な状態をつくることができ、計画的かつ効果的な準備作業が遂行できる。
【考案を実施するための最良の形態】
【００１５】
本考案の実施の最良形態は、上記構成の蓄光性蛍光体励起用光源装置において、被照射体となる蓄光物品が蓄光ボールであり、ケーシングが開閉可能なカプセル容器であり、支持手段が一又は複数の蓄光ボールを載置可能な架台、ネット又はリブである。
【００１６】
また、被照射体となる蓄光物品が蓄光衣服であり、ケーシングが開閉可能なボックス容器であり、支持手段が一又は複数の蓄光衣服を懸架可能なハンガ又はフックである。
【実施例１】
【００１７】
本考案の一実施例である蓄光性蛍光体励起用光源装置（以下、第１実施例光源装置。）について添付図面を参照して以下説明する。
【００１８】
第１実施例光源装置Ｘは、少なくとも表面領域の一部に紫外線波長の励起スペクトルを有する蓄光表面511 （蓄光性蛍光体に同じ。）を備えた蓄光ボール51を被照射体（５）としてケーシング１内に収容し、その蓄光表面に励起スペクトルに応じた面光源（31) からの紫外光を照射することにより蓄光性蛍光体511 に光エネルギを供給するようにしたものである。
【００１９】
図１は第１実施例光源装置の断面視説明図である。
【００２０】
図示するように、第１実施例光源装置Ｘは、開閉可能に室構成されたケーシング１〔図示はカプセル容器〕と、ケーシング１の内壁面にライニングした反射体２と、この反射体２壁面に構設され、室空間に向けて出射するように発光前面を配向形成した発光体ユニット31〔発光手段３〕と、室空間に蓄光ボール51（５）を中空保持するための透明素材からなる凸設リブ41〔支持手段４〕を臨設している。
【００２１】
そして、発光体ユニット31は、紫外発光素子321 を面状に群形成した発光体アレイ32とその電源回路33を有して面光源を形設したものであり、蓄光ボール51（５）の全周囲から照射するように配設している。
【００２２】
ここで、蓄光ボール51（５）はトワイライト・サッカーボールに代表される蓄光ボールであって、すでにイベント用や夜間練習用として市場提供されているものである。
【００２３】
この種のボール表面に付着（層形成）される至適な蓄光性蛍光体511 （蓄光性夜光顔料）には、例えば根本特殊化学株式会社製の「Ｎ夜光（ルミノーバ）」〔登録商標〕があり、発光色ごとに「Ｇ−３００」〔緑色〕、「ＢＧ−３００」〔青色〕、及び「Ｖ−３００」〔紫色〕が提供されている。なお、これらの励起ピーク波長はそれぞれ３６５ｎｍ、３６５ｎｍ、及び３２５ｎｍとされている。
【００２４】
紫外発光素子321 は蓄光性蛍光体511 の励起スペクトルに対応する波長の紫外光を出射する紫外発光ダイオード（ＵＶ−ＬＥＤ）であって、好ましくは３００〜４５０ｎｍの波長の紫外光（ＵＶ・Ａに相当）を出射するものである。
【実施例２】
【００２５】
本考案の他の実施例である蓄光性蛍光体励起用光源装置（以下、第２実施例光源装置。）について添付図面を参照して以下説明する。
【００２６】
図２は、第２実施例光源装置の正面視一部欠截説明図である。
【００２７】
第２実施例光源装置Ｙは、少なくとも表面領域の一部に紫外線波長の励起スペクトルを有する蓄光表面511 （蓄光性蛍光体に同じ。）を備えた蓄光ボール５を被照射体（５）としてケーシング１内に収容し、その蓄光表面に励起スペクトルに応じたランプ光源（34）からの紫外光を照射することにより蓄光性蛍光体511 に光エネルギを供給するようにしたものである。
【００２８】
図示するように、第２実施例光源装置Ｙは、開閉可能に室構成されたケーシング１〔図示はカプセル容器〕と、ケーシング１の内壁面にライニングした反射体２と、この反射体２壁面に構設され、室空間に向けて照射するように発光前面を配向形成した紫外線ランプ34〔発光手段３〕と、室空間に蓄光ボール51（５）を中空保持するための透明素材からなる架台42（支持手段４）を臨設している。なお、架台42をネット〔図示省略〕に代替してもよい。
【００２９】
そして、紫外線ランプ34は、サークル形状のランプ光源であって、サークル内に蓄光ボール51（５）を配設している。
【００３０】
蓄光表面を形成する至適な蓄光性蛍光体511 （蓄光性夜光顔料）、及び照射する紫外光の波長は実施例１記載と同様である。
【実施例３】
【００３１】
本考案の他の実施例である蓄光性蛍光体励起用光源装置（以下、第３実施例光源装置。）について添付図面を参照して以下説明する。
【００３２】
第３実施例光源装置Ｚは、少なくとも表面領域の一部に紫外線波長の励起スペクトルを有する蓄光表面521 （蓄光性蛍光体に同じ。）を備えた蓄光衣服52を被照射体（５）としてケーシング１内に収容し、その蓄光表面に励起スペクトルに応じたランプ光源（34）からの紫外光を照射することにより蓄光性蛍光体521 に光エネルギを供給するようにしたものである。
【００３３】
図３は第３実施例光源装置の断面視説明図である。
【００３４】
図示するように、第３実施例光源装置Ｚは、開閉可能に室構成されたケーシング１〔図示はボックス容器〕と、ケーシング１の内壁面にライニングした反射体２と、この反射体２壁面に構設され、室空間に向けて照射するように発光前面を配向形成した紫外線ランプ34〔発光手段３〕と、室空間に蓄光衣服52〔被照射体５〕を中空保持するための透明素材からなるハンガ43（支持手段４）を懸架設している。なお、ハンガ43を適宜なフック〔図示省略〕に代替してもよい。
【００３５】
そして、紫外線ランプ34は、棒状のランプ光源であって、蓄光衣服52（５）の表裏面に対向設置している。
【００３６】
蓄光表面を形成する至適な蓄光性蛍光体521 （蓄光性夜光顔料）は実施例１、２記載の蓄光性蛍光体511 と同様のものであり、照射する紫外光の波長は実施例１、２記載と同様の条件である。
【産業上の利用可能性】
【００３７】
本考案は、蓄光性蛍光体の用途物品（蓄光物品に同じ）である蓄光ボールや蓄光衣服を被照射体とする光源装置を構成しており、被照射体（直接的には特定的な蓄光性蛍光体）との組合せ効果（有用性）は当然に肯認されるところであり、付属性及び専用性の点でも利便性があり、産業上の利用価値が高いものである。
【図面の簡単な説明】
【００３８】
【図１】第１実施例光源装置の断面視説明図である。
【図２】第２実施例光源装置の正面視一部欠截説明図である。
【図３】第３実施例光源装置の断面視説明図である。
【符号の説明】
【００３９】
１  ケーシング
２  反射体
３  発光手段
31  発光体ユニット〔面光源〕
32  発光体アレイ
321 紫外発光素子（ＵＶ−ＬＥＤ）
33  電源回路
34  紫外線ランプ〔ランプ光源〕
４  支持手段
41  凸設リブ
42  架台（又はネット）
43  ハンガ（又はフック）
５  被照射体
51  蓄光ボール（蓄光物品）
511 蓄光性蛍光体〔蓄光表面〕
52  蓄光衣服（蓄光物品）
521 蓄光性蛍光体〔蓄光表面〕
Ｘ  第１実施例光源装置
Ｙ  第２実施例光源装置
Ｚ  第３実施例光源装置
【図１】
0003124026.tif 000003
【図２】
0003124026.tif 000004
【図３】
0003124026.tif 000005